(57)【要約】【課題】植物を生育させることができ、河川の増水によっても胴込め材の洗掘・流出を防止することができる擁壁用植生ブロック及び擁壁を提供する。【解決手段】多孔質性の植生ブロック２０は、擁壁用ブロック１の客土領域Ｒ内に嵌入してあり、客土充填凹部２４，２４，２４及び客土充填穴２５，２５，…内に客土Ｇが充填してある。そして、下段の擁壁用ブロック１上の位置に上段の擁壁用ブロック１を、下段の擁壁用ブロック１内に配設した植生ブロック２０の後部流出防止部２２上に上段の擁壁用ブロック１の前壁１１の一部が位置するように載置されている。【選択図】図１
2007085063.tif 000002
【特許請求の範囲】
【請求項１】
少なくとも前後壁を有する複数の擁壁用ブロックを階段状に重積してなる擁壁の前記擁壁用ブロック内に胴込め材を、前後壁の下端から第１高さ位置まで投入し、当該擁壁用ブロックの前壁及び胴込め材に対向する所定領域に内嵌され、前記胴込め材の前記領域に臨む部分を覆って胴込め材の流出を防止する本体を備え、植物を生育させ得るようにしてあることを特徴とする擁壁用植生ブロック。
【請求項２】
前記本体が嵌入された擁壁用ブロックには更に、前記第１高さ位置から前記前壁の上端と略同じ第２高さ位置まで胴込め材が投入されるようになっており、
前記本体は、前記第１高さ位置から第２高さ位置まで投入された胴込め材の前記領域に臨む部分も覆って、胴込め材の流出を防止するようにしてある請求項１記載の擁壁用植生ブロック。
【請求項３】
前記本体は、多孔質性材及び凝固剤を含む混合物を成形してなり、植物が生育可能な多孔質状に構成してある請求項１又は２記載の擁壁用植生ブロック。
【請求項４】
前記本体の前記領域に嵌入された際の開放部分に、客土を充填するための客土充填部が凹設してある請求項１から３のいずれかに記載の擁壁用植生ブロック。
【請求項５】
前記客土充填部は、本体の前記開放部分からそれとは反対側の部分まで連通させて構成してある請求項４記載の擁壁用植生ブロック。
【請求項６】
前記本体は、複数の片部材で構成してある請求項１から５のいずれかに記載の擁壁用植生ブロック。
【請求項７】
少なくとも前後壁を有する複数の擁壁用ブロックを階段状に重積してあり、擁壁用ブロックの前後壁の下端から第１高さ位置まで投入した胴込め材及び当該擁壁用ブロックの前壁に対向する所定領域に、植物を生育させるようにした擁壁において、
請求項１から６のいずれかに記載の擁壁用植生ブロックが前記領域に内嵌してあることを特徴とする擁壁。
【請求項８】
前記擁壁用ブロックの少なくとも前壁に前記擁壁用植生ブロックの一部を担持する担持部が設けてある請求項７記載の擁壁。
【請求項９】
上段の擁壁用ブロックと下段の擁壁用ブロックとの境界位置であって、上段の擁壁用ブロックの前壁から適宜距離を隔てた位置までの領域に、上段の擁壁用ブロックに投入した胴込め材の流出を防止するシート状部材が介装してある請求項８記載の擁壁。
【発明の詳細な説明】
【技術分野】
【０００１】
本発明は、法面の崩落を防止する擁壁に適用され、植物を生育させるための擁壁用植生ブロック、及び擁壁に関する。
【背景技術】
【０００２】
図１９は、後記する特許文献１に開示された擁壁を示す側断面図であり、図中、１００は擁壁の施工に用いる擁壁用ブロックである。擁壁用ブロック１００はブロック本体１２０を備えている。このブロック本体１２０は、擁壁の表面側に配置される前壁１２３と、施工地の法面側に配置される後壁１２４との間を図示しない２つの側壁で連結した四角形筒状をしており、後壁１２４の高さ寸法は前壁１２３の高さ寸法より低い。また、各側壁はそれぞれ、前壁１２３から後壁１２４側へ、前壁１２３の高さ寸法と同じ高さ寸法で所定距離だけ延設した後、後壁１２４の高さ寸法と同じ高さにした段差部を経て後壁１２４に連結させてある。
【０００３】
前壁１２３と後壁１２４との間には、ブロック本体１２０内を前後に仕切る複数の仕切り壁１３０が、相隣る側壁上に載置してあり、仕切り壁１３０の底部近傍には、仕切り壁１３０と前壁１２３との間の客土領域に投入された客土２００を受けるベース板１４０が配置してある。
【０００４】
かかるブロック本体１２０、仕切り壁１３０及びベース板１４０等によって構成された擁壁用ブロック１００を用いて擁壁を施工するには、基準面上に載置したブロック本体１２０の内部及びブロック本体１２０の後壁１２４と法面との間に、栗石又は砕石等の胴込め材及び裏込め材を側壁の下段より低い位置まで敷置した後、ブロック本体１２０内の前述した客土領域には客土２００を、ブロック本体１２０内の他の領域及びブロック本体１２０の後壁１２４と法面との間には胴込め材及び裏込め材を、それぞれ前壁１２３上面の位置まで投入し、表面を基準面に整地する。そして、この栗石又は砕石による基準面上に次段のブロック本体１２０を階段状に載置し、前同様の操作を行って次段の擁壁用ブロック１００を施工する。このような操作を所要段数繰り返すことによって、擁壁を施工していた。
【０００５】
【特許文献１】特開平８−１２０６９３号公報（図４）
【発明の開示】
【発明が解決しようとする課題】
【０００６】
しかしながら、このような従来の擁壁にあっては、擁壁用ブロック１００の客土領域に客土２００を投入しているため、河川が増水した場合、客土領域に浸入した流水によって客土２００が洗掘・流出されてベース板１４０が変位し、擁壁の一部を構成すべくブロック本体１２０内に投入した胴込め材が洗掘・流出されて、擁壁の強度が低下する虞があった。更に、胴込め材の流出量が多い場合、擁壁が崩壊する虞もあった。
【０００７】
本発明は、斯かる事情に鑑みてなされたものであって、植物を生育させることができる一方、河川の増水によっても胴込め材の洗掘・流出を防止することができる擁壁用植生ブロック、及びこの擁壁用植生ブロックを備える擁壁を提供する。
【課題を解決するための手段】
【０００８】
請求項１記載の本発明は、少なくとも前後壁を有する複数の擁壁用ブロックを階段状に重積してなる擁壁の前記擁壁用ブロック内に胴込め材を、前後壁の下端から第１高さ位置まで投入し、当該擁壁用ブロックの前壁及び胴込め材に対向する所定領域に内嵌され、前記胴込め材の前記領域に臨む部分を覆って胴込め材の流出を防止する本体を備え、植物を生育させ得るようにしてあることを特徴とする。
【０００９】
請求項２記載の本発明は、前記本体が嵌入された擁壁用ブロックには更に、前記第１高さ位置から前記前壁の上端と略同じ第２高さ位置まで胴込め材が投入されるようになっており、前記本体は、前記第１高さ位置から第２高さ位置まで投入された胴込め材の前記領域に臨む部分も覆って、胴込め材の流出を防止するようにしてあることを特徴とする。
【００１０】
請求項３記載の本発明は、多孔質性材及び凝固剤を含む混合物を成形してなり、植物が生育可能な多孔質状に構成してあることを特徴とする。
【００１１】
請求項４記載の本発明は、前記本体の前記領域に嵌入された際の開放部分に、客土を充填するための客土充填部が凹設してあることを特徴とする。
【００１２】
請求項５記載の本発明は、前記客土充填部は、本体の前記開放部分からそれとは反対側の部分まで連通させて構成してあることを特徴とする。
【００１３】
請求項６記載の本発明は、前記本体は、複数の片部材で構成してあることを特徴とする。
【００１４】
請求項７記載の本発明は、少なくとも前後壁を有する複数の擁壁用ブロックを階段状に重積してあり、擁壁用ブロックの前後壁の下端から第１高さ位置まで投入した胴込め材及び当該擁壁用ブロックの前壁に対向する所定領域に、植物を生育させるようにした擁壁において、請求項１から６のいずれかに記載の擁壁用植生ブロックが前記領域に内嵌してあることを特徴とする。
【００１５】
請求項８記載の本発明は、前記擁壁用ブロックの少なくとも前壁に前記擁壁用植生ブロックの一部を担持する担持部が設けてあることを特徴とする。
【００１６】
請求項９記載の本発明は、上段の擁壁用ブロックと下段の擁壁用ブロックとの境界位置であって、上段の擁壁用ブロックの前壁から適宜距離を隔てた位置までの領域に、上段の擁壁用ブロックに投入した胴込め材の流出を防止するシート状部材が介装してあることを特徴とする。
【発明の効果】
【００１７】
請求項１及び７記載の本発明では、擁壁用ブロックの前壁及び第１高さ位置まで投入された胴込め材で囲まれる所定領域に内嵌される擁壁用植生ブロックが、胴込め材の前記領域に臨む部分を覆って胴込め材の流出を防止する本体を備えるため、河川の増水によっても、擁壁用植生ブロックにて胴込め材の洗掘・流出を防止することができる。一方、擁壁用植生ブロックは、ブロック状の本体を擁壁用ブロック内に嵌入するため、川水によって擁壁用植生ブロックが洗掘・流出することはない。更に、擁壁用植生ブロックは、植物を生育させ得るようにしてあるため、擁壁用ブロックの前記領域に植物を生育させることができる。
【００１８】
請求項２及び７記載の本発明では、本体が嵌入された擁壁用ブロックには更に、前記第１高さ位置から前記前壁の上端と略同じ第２高さ位置まで胴込め材が投入されるようになっており、前記本体は、前記第１高さ位置から第２高さ位置まで投入された胴込め材の前記領域に臨む部分も覆って、胴込め材の流出を防止するようにしてあるため、例えば、擁壁用ブロックの内部に前記第１高さ位置から第２高さ位置まで投入した胴込め材と前記領域とを仕切る仕切り壁等を配設することなく、当該胴込め材の洗掘・流出を防止することができる。
【００１９】
請求項３及び７記載の本発明では、前記本体は、多孔質性材及び凝固剤を含む混合物を成形してなり、植物が生育可能な多孔質状に構成してあるため、この本体に植物を直接生育させることができる。
【００２０】
請求項４及び７記載の本発明では、前記本体の前記領域に嵌入された際の開放部分に、客土を充填するための客土充填部が凹設してあるため、この客土充填部に充填した客土によって、擁壁用植生ブロックによる植物の生育能を向上させることができる。
【００２１】
請求項５及び７記載の本発明では、前記客土充填部は、本体の前記開放部分からそれとは反対側の部分まで連通させて構成してあるため、生育した植物の根は客土充填部に充填した客土中を、当該本体を貫通する様態で伸長して、擁壁用ブロック内に投入した胴込め材、更には擁壁を施工した法面まで達することができ、植物の生育能が更に向上する。
【００２２】
請求項６及び７記載の本発明では、本体は、複数の片部材で構成してあるため、擁壁用ブロックへの設置作業を容易に行なうことができる。
【００２３】
請求項８記載の本発明では、擁壁用ブロックの少なくとも前壁に前記擁壁用植生ブロックの一部を担持する担持部が設けてあるため、擁壁用植生ブロックの全体が沈み込むことが防止される。
【００２４】
請求項９記載の本発明では、上段の擁壁用ブロックと下段の擁壁用ブロックとの境界位置であって、上段の擁壁用ブロックの前壁から適宜距離を隔てた位置までの領域に、上段の擁壁用ブロックに投入した胴込め材の流出を防止するシート状部材が介装してあるため、下段の擁壁用ブロック内に配設した擁壁用植生ブロックと上段の擁壁用ブロックの前壁との間に間隙が生じた場合であっても、当該間隙から上段の擁壁用ブロックの胴込め材が流出することが防止される。
【発明を実施するための最良の形態】
【００２５】
本発明の擁壁用植生ブロックは、少なくとも前後壁を有する複数の擁壁用ブロックを階段状に重積してなる擁壁の前記擁壁用ブロック内に胴込め材を、前後壁の下端から第１高さ位置まで投入し、当該擁壁用ブロックの前壁及び胴込め材に対向する所定領域に内嵌され、前記胴込め材の前記領域に臨む部分を覆って胴込め材の流出を防止する本体を備え、植物を生育させ得るようにしてある。
【００２６】
本体が嵌入された擁壁用ブロックには更に、前記第１高さ位置から前壁の上端と略同じ第２高さ位置まで胴込め材が投入されるようになっており、擁壁用植生ブロックの本体は、第１高さ位置から第２高さ位置まで投入された胴込め材の前記領域に臨む部分も覆って、胴込め材の流出を防止するようにしてある。
【００２７】
前述した本体は、多孔質性材及び凝固剤を含む混合物を成形してなり、植物が生育可能な多孔質状に構成してある。多孔質性材としては、シラス、火山灰等を使用することができ、凝固剤としては、セメント、及び例えば「ＡＬＰＨＡ」（日本環境設計株式会社製）といった凝固促進剤等を使用することができる。そして、これらを混合して固化することによって、植物が生育可能な多孔質状の本体を成形する。
【００２８】
また、本体の前記領域に嵌入された際の開放部分、即ち擁壁用ブロックの前壁及び胴込め材に対向しない部分に、客土を充填するための客土充填部が凹設してある。
【００２９】
更に、客土充填部は本体の前記開放部分からそれとは反対側の部分まで連通させて構成してある。
【００３０】
一方、本体は、複数の片部材で構成してある。
【００３１】
また、本発明の擁壁は、少なくとも前後壁を有する複数の擁壁用ブロックを階段状に重積してあり、擁壁用ブロックの前後壁の下端から第１高さ位置まで投入した胴込め材及び当該擁壁用ブロックの前壁に対向する所定領域に、植物を生育させるようにしてあり、前述したいずれかの擁壁用植生ブロックが前記領域に内嵌してある。
【００３２】
また、擁壁用ブロックの少なくとも前壁に前記擁壁用植生ブロックの一部を担持する担持部が設けてある。
【００３３】
更に、上段の擁壁用ブロックと下段の擁壁用ブロックとの境界位置であって、上段の擁壁用ブロックの前壁から適宜距離を隔てた位置までの領域に、上段の擁壁用ブロックに投入した胴込め材の流出を防止するシート状部材が介装してある。
【００３４】
以下、本発明を図面に基づいて詳述する。
（実施例１）
【００３５】
図１は、本発明に係る擁壁の模式的部分側断面図であり、図中、１は、擁壁用ブロック、７は、水中に設置する魚巣ブロックである。また、図２は、図１に示した擁壁の部分平面図である。
【００３６】
図１及び図２に示した如く、擁壁は、水底から水面Ｗ近傍の位置までの領域に、複数段の魚巣ブロック７，７，…を法面に倣って階段状に積載し、最上段の魚巣ブロック７上に、複数段の擁壁用ブロック１，１，…を階段状に積載して構成してある。魚巣ブロック７は、上部開口及び下部開口を備える矩形筒状のブロック本体７０を備えており、このブロック本体７０内に栗石・砕石等の相対的に大きなサイズの胴込め材Ｄが、またブロック本体７０と法面との間に栗石・砕石等の相対的に大きなサイズの裏込め材Ｕが投入してある。一方、擁壁用ブロック１も、上部開口及び下部開口が設けてある筒状のブロック本体１０を備えている。両ブロック本体１０，７０の構造は略同じであるため、擁壁用ブロック１のブロック本体１０を示す図面を用いてその構造を詳述する。
【００３７】
図３及び図４は、図１及び図２に示した擁壁用ブロック１のブロック本体１０の平面図及び背面図であり、図５は、後述する植生ブロック２０を内部に配置した状態の擁壁用ブロック１の側断面図である。図３〜図５に示した如く、矩形筒状のブロック本体１０は、長方形状の前壁１１と、前壁１１の長さ寸法より短い長さ寸法及び前壁１１の高さ寸法より低い高さ寸法を有する長方形状の後壁１２との間を、厚肉部及び薄肉部を有する側壁１３，１３で連結してある。両側壁１３，１３は、厚肉部を前壁１１に、薄肉部を後壁１２にそれぞれ連結させてあり、両側壁１３，１３の内面は面一にしてある。従って、両側壁１３，１３の外面は前壁１１側が相対的に凸状に、後壁１２側が相対的に凹状になっている。
【００３８】
この側壁１３，１３の厚肉部の高さ寸法は、前壁１１の高さ寸法と略同じであり、図２に示した如く、両側に並設した他の擁壁用ブロック１，１のブロック本体１０，１０に接合させる接合部１４，１４にしてある。そして、一方の接合部１４の側面には、半円棒状の接合用凸部１４ａが設けてあり、他方の接合部１４の側面には、前記接合用凸部１４ａが内嵌する半円筒状の接合用凹部１４ｂが設けてある。
【００３９】
一方、両側壁１３，１３の厚肉部たる接合部１４，１４から後壁１２側へ延出した薄肉部は、接合部１４，１４から適宜寸法だけ接合部１４，１４の高さ寸法と同じ高さ寸法になした上段部と、それより後壁１２側の部分であって、接合部１４，１４の高さ寸法より低く、後壁１２の高さ寸法より高い高さ寸法になした下段部とを備える階段状にしてある。
【００４０】
これら側壁１３，１３の接合部１４，１４及び薄肉部の上段部の領域の適宜位置には、その上端から前記下段部の上端の高さ位置に亘る第１溝部１５，１５が、互いに対向するように凹設してあり、両第１溝部１５，１５内に、該第１溝部１５，１５の高さ寸法と略同じ高さ寸法を有する平板状の仕切り壁１６（図１及び図２参照）を嵌入固定するようになっている。
【００４１】
また、側壁１３，１３の厚肉部であって、薄肉部側の適宜位置には、図１に示した滑動防止片１９を嵌合させる固定用穴１８，１８が設けてあり、両固定用穴１８，１８には、図１に示した如く、例えばボルト形状の滑動防止片１９（１９）の一端が、その他端を突出させた様態で嵌合固定させてある。そして、この滑動防止片１９（１９）に上段の擁壁用ブロック１の前壁１１を当接させることによって、上段の擁壁用ブロック１の滑動を防止してある。
【００４２】
ところで、前壁１１及び側壁１３，１３の内面であって、第１溝部１５，１５の底部の位置より少し高い位置には、内径を小さくして段状になすことによって後述する植生ブロック（擁壁用植生ブロック）２０の底縁部を担持する担持部１１ａ，１３ａ，１３ａが形成してあり、これに対応して、図５に示した如く、仕切り壁１６の底部位置より少し高い位置にも担持部１６ａが設けてある。
【００４３】
そして、図１及び図２に示した如く、本発明に係る擁壁の擁壁用ブロック１にあっては、最上段の魚巣ブロック７又は下段の擁壁用ブロック１上の適宜位置に、擁壁用ブロック１を載置し、魚巣ブロック７に投入した胴込め材Ｄ及び裏込め材Ｕより相対的に小さなサイズの胴込め材Ｄ及び裏込め材Ｕを当該擁壁用ブロック１のブロック本体１０の底部から両第１溝部１５，１５の底部の高さ位置まで投入した後、仕切り壁１６を両第１溝部１５，１５内に嵌入固定し、仕切り壁１６、前壁１１、両側壁１３，１３及び胴込め材Ｄによって囲まれる客土領域Ｒ内に更に胴込め材Ｄを、前記担持部１１ａ，１３ａ，１３ａの高さ位置まで投入する。そして、植生ブロック２０を客土領域Ｒ内に内嵌させ、前記前壁１１、側壁１３，１３及び仕切り壁１６の担持部１１ａ，１３ａ，１３ａ上に植生ブロック２０の周縁部を担持させると共に、擁壁用ブロック１の前壁１１の上面高さ位置まで胴込め材Ｄ及び裏込め材Ｕを投入してある。
【００４４】
この擁壁用ブロック１上に上段の擁壁用ブロック１を、上段の擁壁用ブロック１が下段の擁壁用ブロック１の滑動防止片１９（１９）に当接するように載置する。このとき、滑動防止片１９（１９）は当該擁壁用ブロック１に架設された仕切り壁１６より少し前壁１１側に位置させてあり、これによって、上段の擁壁用ブロック１の前壁１１の一部が下段の擁壁用ブロック１内に配設された植生ブロック２０の上面に当接して、下段の擁壁用ブロック１から植生ブロック２０が抜出することを防止してある。
【００４５】
図６は、図１に示した植生ブロック２０の平面図であり、図７は、図６に示した植生ブロック２０のＶＩＩ−ＶＩＩ線による断面図である。植生ブロック２０は、例えば、シラス又は火山灰の焼成物といった多孔質性材と、廃棄物の焼却によって生じ、０μｍ成分を除去した溶融スラグ等の骨材、セメント及び凝固促進剤（例えば、「ＡＬＰＨＡ」日本環境設計株式会社製）といった凝固剤との混合物に少量の水を加えて十分に混練した後に所定の鋳型内に注入し、加圧凝固させて形成してあり、これによって植生ブロック２０はその全体として多孔質性を有している。また、植生ブロック２０はこの多孔質性により保水性を有する一方、溶融スラグ及びセメントにより所要の比重も有している。
【００４６】
図６及び図７に示した如く、植生ブロック２０は、図１に示した客土領域Ｒの周囲寸法と略同じ外寸を有する横置四角柱形をなしたブロック（塊）状の本体２１を有しており、この本体２１の上面であって長辺側の一縁部は、客土領域Ｒの深さ寸法と略同じ高さ寸法を有し、胴込め材Ｄの客土領域Ｒに臨む領域であって後壁１２側の部分（いずれも図１参照）の流出を防止可能になした後部流出防止部２２になしてある。
【００４７】
また、本体２１の上面（開放部分）には、客土を充填する倒立四角錐台状の複数の客土充填穴（客土充填部）２５，２５，…（図６に示した場合では６個）が、前記後部流出防止部２２とは位置を異ならせて、本体２１の長手方向へ所定の間隔で設けてあり、更に、他の部分の高さ位置より低くした１又は複数の客土充填凹部（客土充填部）２４，２４，…（図６に示した場合では３個）が設けてある。
【００４８】
この客土充填凹部２４，２４，…は適宜に設ければよいが、図６に示した場合にあっては、前記後部流出防止部２２から本体２１の長辺側の他縁までの領域に、平面視が本体２１の長手方向へ長い長方形状の客土充填凹部２４，２４，２４を、本体２１の長手方向へ互いに距離を隔てて配設して構成してあり、相隣る客土充填凹部２４，２４、２４，２４の間は、仕切り壁部２３，２３にしてある。また、客土仕切り壁部２３，２３の適宜位置に、本体２１を吊上げる吊上具を挿入するための吊上用穴２６，２６が開設してある。
【００４９】
かかる植生ブロック２０は、図１に示した如く、擁壁用ブロック１の客土領域Ｒ内に、本体２１の長辺側の他縁が前壁１１に当接する様態で嵌入してあり、客土充填凹部２４，２４，２４及び客土充填穴２５，２５，…内に客土Ｇが充填してある。そして、下段の擁壁用ブロック１上に上段の擁壁用ブロック１を、下段の擁壁用ブロック１内に配設した植生ブロック２０の後部流出防止部２２上の位置に上段の擁壁用ブロック１の前壁１１の一部が位置するように載置されている。
【００５０】
なお、上段の擁壁用ブロック１は下段の擁壁用ブロック１上に、上段の擁壁用ブロック１の前壁１１の前面と下段の擁壁用ブロック１内に嵌入した植生ブロック２０との間に、胴込め材Ｄの内の最小直径以下の寸法の間隙が生じるように載置することもできる。
【００５１】
このような擁壁にあっては、擁壁用ブロック１内に多孔質性の植生ブロック２０が配設してあるため、植生ブロック２０によって植物を生育させることができる。即ち、植生ブロック２０は多孔質であるので、植生ブロック２０表面のいずれの箇所でも植物の根が植生ブロック２０の内部へ進入することが可能であり、従って、前述した客土仕切り壁部２３上であっても植物が生育することができる。また、植生ブロック２０の客土充填凹部２４，２４，２４及び客土充填穴２５，２５，…内に充填した客土Ｇによって、植物を積極的に生育させることができるのである。なお、客土充填凹部２４，２４，２４及び客土充填穴２５，２５，…内に充填した客土Ｇ及び該客土Ｇに生育した植物によって、昆虫類の生息を促すこともできる。
【００５２】
一方、河川が増水した場合であっても、客土領域Ｒ内に嵌合させた植生ブロック２０によって、客土領域Ｒに臨む胴込め材Ｄが保護されているため、当該胴込め材Ｄが洗掘・流出されることを防止することができる。なお、前述したように下段の植生ブロック２０の後部流出防止部２２上の位置に、上段の擁壁用ブロック１の前壁１１の一部が載置してあるため、河川が増水した場合であっても、植生ブロック２０の後部流出防止部２２が上段の擁壁用ブロック１の前壁１１の下端に当接し、擁壁用ブロック１内から植生ブロック２０が抜出することが防止される。このように本発明に係る擁壁にあっては、環境保全と治水とを両立させることができる。
【００５３】
一方、河川の増水によって植生ブロック２０の客土充填凹部２４，２４，２４及び客土充填穴２５，２５，…内に充填した客土Ｇが洗掘・流出した場合であっても、客土充填凹部２４，２４，２４及び客土充填穴２５，２５，…内には風雨等によって運ばれる土砂が堆積し易く、これによって客土Ｇが自然回復される。
【００５４】
なお、本実施例では、倒立四角錐台状の客土充填穴２５を設けた場合について示したが、本発明はこれに限らず、平面視が円形又は多角形等、種々の形状の客土充填穴を設けてもよいことはいうまでもない。
【００５５】
また、本実施の形態では、客土充填穴２５は底部を有する構成にしてあるが、本発明はこれに限らず、本体２１を貫通させた構成にしてもよい。この場合、客土充填穴の本体２１下面側開口の内寸は、擁壁用ブロック１内に投入する胴込め材Ｄの外寸より小さくするとよい。
【００５６】
更に、本実施例では擁壁用ブロック１の側壁１３，１３にも担持部１３ａ，１３ａを設けた場合について説明したが、本発明はこれに限らず、擁壁用ブロック１の前壁１１及び仕切り壁１６のみにそれぞれ担持部１１ａ，１６ａを設けるようにしてもよい。
【００５７】
また、本実施例では擁壁用ブロック１に仕切り壁１６を配設した場合について説明したが、本発明はこれに限らず、擁壁用ブロック１に仕切り壁１６を配設しない場合にも適用できる。つまり、前述したように、本体２１には、の上面であって長辺側の一縁部は、客土領域Ｒの深さ寸法と略同じ高さ寸法を有する後部流出防止部２２が設けてあるため、擁壁用ブロック１に仕切り壁１６を配設しない場合であっても、後部流出防止部２２によって、胴込め材Ｄの客土領域Ｒに臨む領域であって後壁１２側の部分が覆われ、当該胴込め材Ｄの流出が防止されるのである。
（実施例２）
【００５８】
図８は、実施例２に係る擁壁を示す部分側断面図であり、擁壁用ブロック１の前壁１１のみに担持部１１ａを設けている。なお、図中、図１に示した部分に対応する部分には同じ番号を付してその説明を省略する。
【００５９】
図８に示した如く、植生ブロック２０の下面一縁部は前壁１１に設けた担持部１１ａによって担持されており、植生ブロック１１ａ下面の他部分は、客土領域Ｒ内の胴込め材Ｄによって担持されている。また、上段の擁壁用ブロック１と下段の擁壁用ブロック１との境界位置であって、上段の擁壁用ブロック１の前壁１１から後壁１２側へ適宜距離を隔てた位置までの領域には、擁壁用ブロック１の幅と略同じ幅寸法であり、上段の擁壁用ブロック１内の胴込め材Ｄが流出することを防止するシート状部材３０が、当該シート状部材３０の一縁部を上段の擁壁用ブロック１の前壁１１の下端近傍の位置まで延設することによって側面視を略Ｌ字状になした様態で介装してある。このシート状部材３０としては、例えばキュアマットｃｃ（アオイ化学株式会社製）を用いることができる。
【００６０】
植生ブロック２０の下面一縁部を前壁１１の担持部１１ａに担持させ、植生ブロック２０下面の他部分を客土領域Ｒ内の胴込め材Ｄによって担持させた場合、客土領域Ｒ内の胴込め材Ｄの嵩が経年的に縮小するため、植生ブロック２０の後部流出防止部２２と上段の擁壁用ブロック１の前壁１１の下端との間に間隙が発生し、この間隙から、上段の擁壁用ブロック１に投入した胴込め材Ｄが外へ流出する虞がある。
【００６１】
しかし、本発明に係る擁壁にあっては、シート状部材３０が前述した如く介装してあるため、植生ブロック２０と上段の擁壁用ブロック１の前壁１１の下端との間に間隙が発生した場合であっても、上段の擁壁用ブロック１に投入した胴込め材Ｄが前記間隙から外へ流出することが防止される。
【００６２】
なお、本実施例では、シート状部材３０は、擁壁用ブロック１の前壁１１の下端近傍の位置から当該前壁１１の下端位置まで延設し、更に当該前壁１１から後壁１２側へ適宜距離を隔てた位置まで延設することによって、側面視が略Ｌ字状に敷設してあるが、本発明はこれに限らず、図９に示した如く、上段の擁壁用ブロック１と下段の擁壁用ブロック１との境界上に、上段の擁壁用ブロックの前壁１１の厚さ方向の適宜位置から後壁１２側の適宜位置まで略直線状に敷設してもよい。これによっても、前同様、植生ブロック２０と上段の擁壁用ブロック１の前壁１１の下端との間に間隙が発生した場合であっても、上段の擁壁用ブロック１に投入した胴込め材Ｄが前記間隙から外へ流出することを防止することができる。
【００６３】
なお、本実施例では擁壁用ブロック１に仕切り壁１６を配設した場合について説明したが、本発明はこれに限らず、前述したように後部流出防止部２２によって、胴込め材Ｄの客土領域Ｒに臨む領域であって後壁１２側の部分の流出が防止されるので、擁壁用ブロック１に仕切り壁１６を配設しない場合にも適用できる。
（実施例３）
【００６４】
図１０及び図１１は、実施例３に係る植生ブロックを示す平面図及び裏面図であり、図６に示した植生ブロック２０の客土用凹部２４の構成を変更すると共に、長さ方向の適宜位置で複数に分割した内の１つを示している。また、図１２は、実施例３に係る植生ブロックの正面図、図１３は、図１２に示した植生ブロックのＸＩＩＩ−ＸＩＩＩ線による断面図である。
【００６５】
図１０〜図１３に示した如く、植生ブロック２０ａは、厚さ方向に重積させた第１片部材２１ａ及び第２片部材２１ｂを備えている。第１片部材２１ａは、長方形厚板形状の本体の短辺側縁部中央にそれぞれ、矩形の切欠き部２５ｂ，２５ｂを設けると共に、本体の中央に、当該本体を貫通し、平面視が略正方形状の客土充填穴２５ａが開設してある。このような第１片部材２１ａの両短辺側に他の第１片部材２１ａを並設した場合、当該第１片部材２１ａの切欠き部２５ｂと相隣る他の第１片部材２１ａの切欠き部２５ｂとが接合して、客土充填穴が形成されるようになっている。
【００６６】
また、第１片部材２１ａの上面であって、客土充填穴２５ａと切欠き部２５ｂ，２５ｂとの間の部分には、客土充填穴２５ａの幅寸法より少し小さい幅寸法の溝状の客土充填凹部２４ａ，２４ａが設けてある。
【００６７】
一方、第２片部材２１ｂは、第１片部材２１ａと同じ寸法の長方形厚板形状の本体に、当該本体を貫通し、平面視が略正方形状の客土充填穴２５ｃ，２５ｃを、前記第１片部材２１ａの客土充填穴２５ａとは位置を異ならせて開設してなり、客土充填穴２５ｃ，２５ｃの間、及び客土充填穴２５ｃ，２５ｃから本体の短辺側縁までの領域には、客土充填穴２５ｃの幅寸法より少し小さい幅寸法の溝状の客土充填凹部２４ｂ，２４ｂ，２４ｂがそれぞれ設けてある。
【００６８】
そして、図１に示した擁壁用ブロック１の客土領域Ｒに、複数の第２片部材２１ｂ，２１ｂ，…を嵌入させ、各第２片部材２１ｂ，２１ｂ，…上にそれぞれ第１片部材２１ａ，２１ａ，…を、両者が平面視的に重畳するように載置させた後、第１片部材２１ａ，２１ａ，…の客土充填穴２５ａ，２５ａ，…及び相隣る切欠き部２５ｂ，２５ｂで形成された客土充填穴に客土をそれぞれ充填すると共に、第１片部材２１ａ，２１ａ，…の客土充填凹部２４ａ，２４ａ，…に客土を充填する。
【００６９】
なお、図１２にあっては、第２片部材２１ｂ上に第１片部材２１ａを載置してあるが、第１片部材２１ａ上に第２片部材２１ｂを載置してもよい。
【００７０】
このように、植生ブロック２０ａを複数の片部材で構成することによって、植生ブロック２０ａの設置作業を容易に行なうことができる。また、第１片部材２１ａの客土充填穴２５ａ及び切欠き部２５ｂの位置と第２片部材２１ｂの客土充填穴２５ｃ，２５ｃの位置とを異ならせてあるため、図１に示した胴込め材Ｄが第２片部材２１ｂの客土充填穴２５ｃ，２５ｃ及び第１片部材２１ａの客土充填穴２５ａを通過して流出することが防止される。
【００７１】
なお、第１片部材２１ａ及び第２片部材２１ｂは、長さ方向へ複数の片材に分割するようにしてもよい。これによって、各片部材の設置を作業者が手作業で実施することができる。
【００７２】
また、本実施例では厚さ方向及び長さ方向で分割した植生ブロックについて示したが、本発明はこれに限らず、植生ブロックは、厚さ方向又は長さ方向で分割するようにしてもよいことはいうまでもない。
（実施例４）
【００７３】
図１４及び図１５は、他の植生ブロックを用いた擁壁の部分側断面図である。なお、両図中、図１に示した部分に対応する部分には同じ番号を付してその説明を省略する。
【００７４】
図１４に示した植生ブロック２０ｂは、図６に示した客土充填穴２５を設けずに、客土充填凹部２４ｃのみが設けてある。また、図１５に示した植生ブロック２０ｃは、更に図６に示した客土充填凹部２４も設けておらず、直方体状の本体の一部を後部流出防止部２２ｄにしてある。このような、植生ブロック２０ｂ，２０ｃであっても多孔質性を有するため、植生ブロック２０ｂ，２０ｃの内部に水を保持することができるのに加え、植生ブロック２０ｂ，２０ｃの内部へ植物の根が進入することができ、植生ブロック２０ｂ，２０ｃに植物を直接生育させることができる。
【００７５】
なお、図１６に示した如く、本体の上面に複数の細穴２９，２９，…を刺設しておくことによって、細穴２９，２９，…内に植物の主根を伸張させ、当該主根から出芽したひげ根を植生ブロック２０ｃの内部へ伸張させることができる。
【００７６】
一方、図１４に示した植生ブロック２０ｂにあっては、客土充填凹部２４ｃが設けてあるため、この客土充填凹部２４ｃに充填された客土Ｇによって、植物の生育能が向上する。
（実施例５）
【００７７】
図１７及び図１８は、実施例５に係る擁壁の部分側断面図であり、コンクリート製の植生ブロックを用いている。なお、両図中、図１に示した部分に対応する部分には同じ番号を付してその説明を省略する。
【００７８】
図１７に示した植生ブロック２０ｄは、擁壁用ブロック１の前壁１１に対向させる上部開口側部分を、高さ方向の全領域に亘って櫛歯状に成形することによって複数の凹部２５ｄ（２５ｄ，…）が設けてあり、該凹部２５ｄ（２５ｄ，…）と擁壁用ブロック１の前壁１１とによって、客土充填穴が形成されている。この客土充填穴の底部は、植生ブロック２０ｄの底部から擁壁用ブロック１の前壁１１までの領域に介装したシート状部材（例えば、キュアマットｃｃ（アオイ化学株式会社製））３１によって塞止されており、シート状部材３１の縁部の前壁１１に当接した部分は、当該前壁１１に沿って上方へ屈曲させてある。
【００７９】
このような、植生ブロック２０ｄにあっては、コンクリート製であっても、凹部２５ｄ及び前壁１１で囲まれた客土充填穴及び客土充填凹部２４ｄ（２４ｄ，…）に充填した客土Ｇによって、植物を生育させることができる。一方、植生ブロック２０ｄは、胴込め材Ｄの客土領域Ｒに臨む部分の略全領域を覆うことができるため、当該胴込め材Ｄが洗掘・流出されることを防止することができる。また、凹部２５ｄ及び前壁１１で囲まれた客土充填穴の底部はシート状部材３１によって塞止してあるため、胴込め材Ｄ中へ客土Ｇが流出することが防止される一方、客土充填穴内の客土が洗掘・流出された場合であっても、胴込め材Ｄが客土充填穴から洗掘・流出されることが防止される。
【００８０】
なお、本実施例では、シート状部材３１の縁部の前壁１１に当接した部分は、当該前壁１１に沿って上方へ屈曲させてあるが、本発明はこれに限らず、当該部分は屈曲させずに、前壁１１に当接させた状態にしてもよい。
【００８１】
一方、図１８に示した植生ブロック２０ｅにあっては、擁壁用ブロック１の前壁１１に対向させる部分を、高さ方向の下位部分を除く領域に亘って櫛歯状に成形することによって複数の凹部２５ｅ（２５ｅ，…）を設けた以外は、図１６に示した植生ブロック２０ｄと同様の構成にしてある。つまり、凹部２５ｅ及び前壁１１で囲まれる客土充填穴は有底であり、従って前述したシート状部材は配設されていない。なお、各凹部２５ｅ（２５ｅ，…）の底面は擁壁用ブロック１の前壁１１に向かうに連れて低くしたテーパ状にしてあり、これによって客土Ｇ中の水を植生ブロック１と前壁１１との間の間隙から排出させるようにしてある。
【００８２】
このような、植生ブロック２０ｅにあっては、コンクリート製であっても、凹部２５ｅ及び前壁１１で囲まれる客土充填穴及び客土充填凹部２４ｅ（２４ｅ，…）に充填した客土Ｇによって、植物を生育させることができる。一方、植生ブロック２０ｅは、胴込め材Ｄの客土領域Ｒに臨む部分の全領域を覆うことができるため、当該胴込め材Ｄが洗掘・流出されることを防止することができる。
【００８３】
なお、コンクリート製の植生ブロックにあっては、植生ブロックを貫通する客土充填穴を設けてもよい。また、植生ブロックと胴込め材Ｄとの間に、客土充填穴の下部を塞止するシート状部材を介装するようにしてもよい。
【図面の簡単な説明】
【００８４】
【図１】本発明に係る擁壁の模式的部分側断面図である。
【図２】図１に示した擁壁の部分平面図である。
【図３】図１及び図２に示した擁壁用ブロックのブロック本体の平面図である。
【図４】図１及び図２に示した擁壁用ブロックのブロック本体の背面図である。
【図５】植生ブロックを内部に配置した状態の擁壁用ブロックの側断面図である。
【図６】図１に示した植生ブロックの平面図である。
【図７】図６に示した植生ブロックのＶＩＩ−ＶＩＩ線による断面図である。
【図８】実施例２に係る擁壁を示す部分側断面図である。
【図９】シート状部材の他の施工例を説明する説明図である。
【図１０】実施例３に係る植生ブロックを示す平面図である。
【図１１】実施例３に係る植生ブロックを示す裏面図である。
【図１２】実施例３に係る植生ブロックの正面図である。
【図１３】実施例３に係る植生ブロックのＸＩＩＩ−ＸＩＩＩ線による断面図である。
【図１４】他の植生ブロックを用いた擁壁の部分側断面図である。
【図１５】他の植生ブロックを用いた擁壁の部分側断面図である。
【図１６】更に他の植生ブロックを用いた擁壁の部分側断面図である。
【図１７】実施例５に係る擁壁の部分断面図である。
【図１８】実施例５に係る擁壁の部分断面図である。
【図１９】従来の擁壁を示す側断面図である。
【符号の説明】
【００８５】
１      擁壁用ブロック
１０      ブロック本体
１１      前壁
１１ａ    担持部
１２      後壁
１３      側壁
１６      仕切り壁
１９      滑動防止片
２０      植生ブロック
２２      後部流出防止部
２４      客土充填凹部
２５      客土充填穴
Ｄ      胴込め材
Ｕ      裏込め材
Ｇ      客土
Ｒ      客土領域
【図１】
2007085063.tif 000003
【図２】
2007085063.tif 000004
【図３】
2007085063.tif 000005
【図４】
2007085063.tif 000006
【図５】
2007085063.tif 000007
【図６】
2007085063.tif 000008
【図７】
2007085063.tif 000009
【図８】
2007085063.tif 000010
【図９】
2007085063.tif 000011
【図１０】
2007085063.tif 000012
【図１１】
2007085063.tif 000013
【図１２】
2007085063.tif 000014
【図１３】
2007085063.tif 000015
【図１４】
2007085063.tif 000016
【図１５】
2007085063.tif 000017
【図１６】
2007085063.tif 000018
【図１７】
2007085063.tif 000019
【図１８】
2007085063.tif 000020
【図１９】
2007085063.tif 000021